(57)【要約】【課題】多量のマイナスイオン効果、多量の遠赤外線効果が得られると共に、身体への温熱指圧効果も得られ、床部の断熱効果を大きくし、省エネルギーに優れたものにする。【解決手段】マイナスイオン生成用床部６を上、中、下の３層積層体にし、上層床部７を高断熱性能を有するマイナスイオン生成材を含むコンクリートブロックにし、そこに上下に貫通する複数の貫通穴２３を分散配設すると共に、その上面に多数のマイナスイオン生成材からなる身体支持用部材２７を分散配置して、各一部を上面より夫々突出させて植設し、中層床部８を多数のマイナスイオン生成材を集積した集積体にし、下層床部９を高断熱性能を有するマイナスイオン生成材を含むコンクリートにし、そこに加熱用温水管１２を備え付ける。【選択図】        図１
2006102298.tif 000002
【特許請求の範囲】
【請求項１】
部屋の床部をマイナスイオン生成用床部にしたマイナスイオンサウナであって、上記マイナスイオン生成用床部を上、中、下の３層床部からなる積層体にし、その上層床部を高断熱性能を有するマイナスイオン生成材を含むコンクリートブロックにし、そのコンクリートブロックに上下に貫通する複数の貫通穴を分散配設すると共に、そのコンクリートブロックの上面に多数のマイナスイオン生成材からなる身体支持用部材を分散配置して、その各身体支持用部材を上面より一部を夫々突出させて植設し、その中層床部を多数のマイナスイオン生成材を集積した集積体にし、その下層床部を高断熱性能を有するマイナスイオン生成材を含むコンクリートにし、そのコンクリートに加熱用温水管を備え付けることを特徴とするマイナスイオンサウナ。
【請求項２】
部屋内に、多数のマイナスイオン生成材を収容した滝形成容器をマイナスイオン生成用床部より高く掲げて支持し、その容器内のマイナスイオン生成材に温水を注いで、滝状に落下させることを特徴とする請求項１記載のマイナスイオンサウナ。
【請求項３】
部屋内に、滝状に落下する温水に向けて風を送る送風機の噴射口を設けることを特徴とする請求項２記載のマイナスイオンサウナ。
【請求項４】
マイナスイオン生成用床部の周囲に、多数のマイナスイオン生成材を収容し、上開口を設け、滝状に落下する温水を受ける温水溝を設けることを特徴とする請求項２又は３記載のマイナスイオンサウナ。
【請求項５】
部屋の壁部を、高断熱性能を有するマイナスイオン生成材を含むコンクリートにすることを特徴とする請求項１、２、３又は４記載のマイナスイオンサウナ。
【発明の詳細な説明】
【技術分野】
【０００１】
本発明はマイナスイオンを発生させて利用するサウナに関する。
【背景技術】
【０００２】
近年、トルマリン、ラジウム鉱石、麦飯石等のマイナスイオンを発生し易い物質（マイナスイオン生成材）を用いる種々のサウナが開発され、使用され始めている。このようなマイナスイオン生成材はその生成材に触れた空気、水等をマイナスイオン化でき、その生成材を加熱、加圧等すると、簡単に多量のマイナスイオンを発生させることができる。しかも、遠赤外線を発生する。それ故、マイナスイオン生成材を用いたサウナに入ると、そのマイナスイオン、遠赤外線による優れた健康、美容効果を享受できる。又、サウナの低温化が可能であるため、低温化により普通のサウナのように暑苦しくなく、我慢をしながら汗を搾り出す必要もなくて長時間居ても快適に過ごせる。
【０００３】
このようなマイナスイオンサウナとして、気密性、断熱性の高い部屋に、一般的に市販されているような温度設定が可能な床暖房システムを敷き、その上に珪砂入りモルタルにトルマリンの粉末、小豆大のトルマリン原石を混ぜたものを床材として盛り、横たわった人の肩、腰、膝、踵に当たるように、トルマリン入りのタイル又は陶器等を埋め込み、モルタルを固化させて岩盤を完成し、更にその岩盤を仕切ってベッドと通路を形成して、ベッドの周囲に溝、通路に若干の窪みを夫々設け、そこに水気が溜まるようにし、水蒸気が発生し易い環境にして、室内の湿度を調整するようにしたものが提示されている。
【特許文献１】特開２００４−１３００４７
【発明の開示】
【発明が解決しようとする課題】
【０００４】
しかしながら、このようなサウナではトルマリンの量を多くできず、マイナスイオンや遠赤外線を多量に発生し難い。しかも、そのベッドに上向きになって横たわると、背中側がベッドの上面と広く密接触するため、肩、腰、膝、踵等の特定の部位を除いた箇所にマイナスイオンが触れ難くなる。又、ベッドとなる岩盤の下に一般的に市販されているような床暖房システムを敷くだけでは床部の断熱効果を大きくできない。
【０００５】
本発明はこのような従来の問題点に着目してなされたものであり、マイナスイオンや遠赤外線を多量に発生し易く、その多量のマイナスイオンや遠赤外線による効果が得られると共に、身体への温熱指圧効果も得られ、床部の断熱効果が大きく、省エネルギーに優れたマイナスイオンサウナを提供することを目的とする。
【課題を解決するための手段】
【０００６】
上記目的を達成するために、本発明によるマイナスイオンサウナは部屋の床部をマイナスイオン生成用床部にする。そして、上記マイナスイオン生成用床部を上、中、下の３層床部からなる積層体にし、その上層床部を高断熱性能を有するマイナスイオン生成材を含むコンクリートブロックにし、そのコンクリートブロックに上下に貫通する複数の貫通穴を分散配設すると共に、そのコンクリートブロックの上面に多数のマイナスイオン生成材からなる身体支持用部材を分散配置して、その各身体支持用部材を上面より一部を夫々突出させて植設する。
【０００７】
又、その中層床部を多数のマイナスイオン生成材を集積した集積体にし、その下層床部を高断熱性能を有するマイナスイオン生成材を含むコンクリートにし、そのコンクリートに加熱用温水管を備え付ける。
【０００８】
又、上記部屋内に、多数のマイナスイオン生成材を収容した滝形成容器をマイナスイオン生成用床部より高く掲げて支持し、そのマイナスイオン生成材に温水を注いで、滝状に落下させると好ましくなる。
又、上記部屋内に、滝状に落下する温水に向けて風を送る送風機の噴射口を設けるとよい。
【０００９】
又、上記マイナスイオン生成用床部の周囲に、多数のマイナスイオン生成材を収容し、上開口を設け、落下する温水を受ける温水溝を設けるとよい。
又、部屋の壁部を、高断熱性能を有するマイナスイオン生成材を含むコンクリートにするとよい。
【発明の効果】
【００１０】
本発明のマイナスイオンサウナは部屋のマイナスイオン生成用床部を上、中、下の３層床部からなる積層体にし、その下層床部に加熱用温水管を熱源として備え付けることにより、その加熱用温水管から発生する熱を先ず下層床部を構成するコンクリートに伝え、更に中層床部、上層床部へと伝えて部屋内を暖めることができる。すると、上、中、下の３層床部を構成するマイナスイオン生成材と部屋内の空気、水分が加熱され、所定温度に達する。
【００１１】
それ故、マイナスイオン生成材と接触した空気、水分がマイナスイオン化され易くなり、多量のマイナスイオンが発生する。又、マイナスイオン生成材から多量の遠赤外線が発生する。そして、部屋内に上、中、下の３層床部から多量の遠赤外線が放射され、更に上層床部とその上層床部に設けられた各貫通穴から中、下層床部で発生した多量のマイナスイオンと熱が空気の対流等によって放出されて充満する。
【００１２】
このような部屋内に入浴者が入って横たわると、身体が床面から突出する多数のマイナスイオン生成材からなる身体支持用部材で支えられる。すると、横たわった人が床面に密接触せず、各身体支持用部材で当接箇所が温熱指圧され、床面との間に少し空間ができる。そして、その空間内に周囲からマイナスイオンが侵入し、横たわった人の下側にもほぼ均等に多量のマイナスイオンが触れる。それ故、多数の身体支持用部材による温熱指圧効果と多量のマイナスイオン効果を得ることができる。又、多量の遠赤外線を受けて、その効果を得ることもできる。
【００１３】
しかも、マイナスイオン生成用床部の上、下層床部を構成するコンクリートに高断熱性能を有するマイナスイオン生成材を含ませると、マイナスイオン生成用床部の断熱効果が大きくなり、省エネルギーに優れたものになる。
【００１４】
そして、滝形成容器内にある多数のマイナスイオン生成材に温水を注ぐと、そのマイナスイオン生成材を加熱、加圧等して温水をマイナスイオン化し、滝状に落下させることができる。それ故、多量の水蒸気を発生させる等して、温水に含まれるマイナスイオンを空気中に拡散して多量に含ませることができる。その際、送風機で風を送ると、その滝状に落下する温水が広がり、分離するため、温水に含まれるマイナスイオンを一層空気中に拡散して多量に含ませることができる。
【００１５】
又、温水溝で滝状に落下するマイナスイオン化した温水を受けると、その温水溝中にある多数のマイナスイオン生成材で温水を更にマイナスイオン化し、上開口を通じて発散する水蒸気に含まれるマイナスイオンを空気中に拡散して多量に含ませることができる。
又、部屋の壁部を構成するコンクリートに高断熱性能を有するマイナスイオン生成材を含ませると、広く体積の大きな壁部に含まれる多量のマイナスイオン生成材により、部屋内に多量のマイナスイオンを満たし、多量の遠赤外線を放射できる。しかも、壁部の断熱性を大きくして、部屋の断熱効果を大きくできるので省エネルギーに適する。
【発明を実施するための最良の形態】
【００１６】
以下、添付の図１〜５を参照して、本発明の実施の最良形態を説明する。
図１は本発明を適用した１人用マイナスイオンサウナの縦断面図、図２はその要部縦断面図である。このマイナスイオンサウナ１は部屋の室内空間２を形成する床部３、周囲の側壁部４、天井壁部５等のほぼ全てを出入口箇所（図示なし）等を除いて、マイナスイオン生成材を用いて形成する。そして、入浴者が横たわる等しながらマイナスイオン、遠赤外線を受ける床部３の主要部となるマイナスイオン生成用床部６を上、中、下のいずれも厚みが例えば１０ｃｍ程の３層床部７、８、９からなる積層体にする。
【００１７】
施工時には、先ず部屋の基礎１０を普通のコンクリート例えばセメント１０％、砂３０％、砂利６０％を練り合わせたものをべた打ちして形成する。すると、そのコンクリート基礎１０が床部３の最下部を構成する。そこで、コンクリート基礎１０に対し、出入口箇所を除く周囲の側壁部４、天井壁部５を高断熱性能を有するマイナスイオン生成材例えば黒曜石加工パーライト（製造元：芙蓉パーライト株式会社）を含むコンクリートを用い、１５ｃｍ程の厚みに形成する。その際、例えばセメント１０％、砂１５％、黒曜石加工パーライト７５％を練り合わせて用いる。すると、部屋の仕切られた室内空間２がほぼ完成する。なお、黒曜石加工パーライトは黒曜石を砕き、約１０００℃で焼成加工した独立気泡の粒状発泡体であり、トルマリン等に比べて安価である。
【００１８】
そこで、コンクリート基礎１０の上にマイナスイオン生成用床部６を形成するため、滝形成箇所１０ａを除く全面に、断熱材例えば板状のプラスチック製発泡材を敷く。すると、コンクリート基礎１０の上に断熱層１１を形成できる。次に、その断熱層１１の上にマイナスイオン生成用床部６の下層床部９を形成する。その際、先ず断熱層１１の上面全体に暖房装置の加熱用温水管１２をほぼ均等に分散させて配管するため、その配管の台部１３として例えば細長い木製板材を配管箇所に置き、組み付けて配置する。
【００１９】
そして、その配置した温水管１２に対し、例えば金属製の屈曲した管押え１４と頭付き止め棒１５との組み合せからなる止め具１６を多数用い、温水管１２の必要箇所をコンクリート基礎１０に夫々固定する。その際、各管押え１４と結合する止め棒１５をいずれも断熱層１１を貫いてコンクリート基礎１０の内部に打ち込む。すると、図３に示すように温水管１２を断熱層１１上に屈曲させて配設できる。なお、１７は暖房装置の本体であり、加熱した水道水等の温水を加熱用温水管１２を通じて循環させるのに必要な各種装置、例えばポンプ、バーナー、温度コントローラ等を適宜備えている。
【００２０】
そこで、加熱用温水管１２を配設した断熱層１１の上に高断熱性能を有するマイナスイオン生成材例えば黒曜石加工パーライトを含むコンクリートを、壁部４、５を形成した場合と同一成分にして打つ。すると、コンクリート１８の内部に温水管１２が埋設でき、下層床部９が完成する。但し、下層床部９を形成するコンクリート１８の上面周辺部をロ字状に少し凹所にし、そこを温水溝１９の底部を形成する設置箇所にする。なお、図３の網目箇所はその温水溝１９を設ける箇所２０を示している。
【００２１】
そして、温水溝１９を形成する際に、例えば水路形成用コンクリート製品であるＵ字溝を設置し、その上開口に多数の穴付き上蓋２１として強度の大きな網状体を施す。すると、その温水溝１９に後述する滝状に落下してくる温水を溜めて、流すことができる。又、下層床部９にはその上面に臨む小開口を有し、コンクリート基礎１０の内部に達する排水管２２を垂直方向に必要数分配して配置する。すると、マイナスイオン生成用床部６の上面等を高圧蒸気噴射洗浄機を用いて清掃し、或いは殺菌消毒をする際に、下層床部９の上面に達する多量の排水等を外部に良く排出できるため、部屋内を衛生的に保つことができる。
【００２２】
このような下層床部９の温水溝１９を形成するロ字状に配設されたＵ字溝の内側壁で囲まれた上面上に中層床部８を設ける。その際、中層床部８を多数のマイナスイオン生成材例えば多数のトルマリンの原石、黒曜石の原石等を集積した集積体により形成する。なお、中層床部８を形成するマイナスイオン生成材として、当然ラジウム鉱石の原石、麦飯石の原石等を用いることもできる。
【００２３】
そして、中層床部８の上に高断熱性能を有するマイナスイオン生成材を含むコンクリートブロックを置いて上層床部７を形成する。このコンクリートブロックには高断熱性能を有するマイナスイオン生成材としてやはり黒曜石加工パーライトを、壁部４、５、下層床部９を形成した場合と同一成分のコンクリートにして用いる。なお、使用する黒曜石は産地として有名な長野県和田峠産であり、その成分含有率の一例を表１に示す。
【００２４】
【表１】
2006102298.tif 000003
【００２５】
そして、コンクリートブロックの成形時に、図４に示すようにそのブロックの中央部に上下に貫通する複数例えば１２個の貫通穴２３を３行４列に並べてほぼ均等に分散配設する。その際、各貫通穴２３を形成するため両開き管２４を使用するとよい。又、そのブロック上面の通路２５となる周辺部を除くベッド２６の部分に、多数例えば５５２個のマイナスイオン生成材からなる身体支持用部材２７を１８行３４列に並べてほぼ均等に分散配置し、その各身体支持用部材２７を上面より一部を夫々突出させて植設する。
【００２６】
その際、身体支持用部材２７として、例えば図５に示すような表皮層２８をトルマリン粉末、芯部２９を黒曜石粉末にし、９５０℃以下の低温で焼結した直径が２ｃｍ程の球状体を用いる。すると、マイナスイオン生成能力が大きく高価なトルマリンを球状体の薄い表皮層２８のみに少量用い、大部分を占める芯部２９を安価な黒曜石にすることによって、マイナスイオン発生能力の大きな球を安価に形成できる。
【００２７】
しかし、コンクリートブロックは上層床部７の上に直接コンクリートを打って成形せず、中層床部８と共に外して天日干して活性化させたり、取り換えたりできるようにするため、他の場所で製品化して持ち込み、中層床部８の上に置いて用いる。そして、コンクリートブロック設置後、各貫通穴２３の中にマイナスイオン生成材として例えば身体支持用部材として用いる球状体２７と同一の球状体２７ａを多数充填する。なお、上下開口に網状体を夫々施して蓋をする。すると、マイナスイオン生成用床部６が完成する。
【００２８】
このようなマイナスイオン生成用床部６の一側に温水を滝状に落下させる滝形成装置３０を設ける。そこで、コンクリート基礎１０の滝形成箇所１０ａと天井壁部５との間に、垂直方向に互いに離して上、中、下の滝形成容器３１、３２、３３を設置する。その際、上、中の各滝形成容器３１、３２は側壁部４の所定箇所にその壁面より水平方向に突出するように夫々支持して設置するのに対し、下滝形成容器３３は滝形成箇所１０ａの上に設けたコンクリート製台部３４の上に設置する。なお、各滝形成容器３１、３２、３３はコンクリート製、ステンレス製等にする。
【００２９】
そして、上滝形成容器３１は天井部を全面開口、底部を平底にし、そこに多数の落下穴３５をマトリックス状に分散配設するのに対し、中滝形成容器３２は天井部を全面開口、底部をＶ字状底にし、その中央に直線状落下穴３６を設ける。又、下滝形成容器３３は天井部を全面開口、底部を内側程深い傾斜底にし、その内側壁部に温水放水管３７を設ける。又、これ等の容器３１、３２、３３に対し、いずれにもマイナスイオン生成材として例えばトルマリンの原石、黒曜石の原石等を所定位置まで充填する。その際、上、中の各滝形成容器３１、３２では上側内部を少し開けておくのに対し、下滝形成容器３３では全体に充填する。なお、各滝形成容器３１、３２、３３には当然他のマイナスイオン生成材であるラジウム鉱石の原石、麦飯石の原石等も充填して使用できる。
【００３０】
又、上滝形成容器３１の上側内部に、管に沿ってその下側に多数の噴射口を分散配設した温水噴射管３８を設置する。そして、その側壁部４の外側に、温水噴射管３８に温泉水、又は水道水を加熱、加圧して送るための装置（図示なし）を設ける。又、中滝形成容器３２の内部中央付近に噴射口を臨ませた酸素噴射管４５を設け、側壁部４の外側に酸素ボンベ等を備えた酸素供給装置（図示なし）を設置する。又、下滝形成容器３３の上方直近の側壁部４の近くに、その側壁部４の外側直近に設置した送風機３９から伸びる送風管４０の噴射口４１を設ける。なお、中滝形成容器３２の温水を酸素ガスで泡立てると、リラックスできて健康を促進できる。
【００３１】
このような下滝形成容器３３の温水放水管３７から落下する温水をマイナスイオン生成用床部６の周囲に配設した温水溝１９に落下させるようにする。そこで、温水溝１９の内部にマイナスイオン生成材として例えばトルマリンの原石、黒曜石の原石等を所定位置まで充填する。又、温水溝１９の任意の場所例えば滝形成装置３０と反対側に、温水を取り出すための放水管４２を設け、その温水放水管４２を側壁部４の直近外部に設けた温水槽４３に導く。すると、その温水槽４３にポンプ４４を設置することにより、温水を滝形成装置３０に循環させて使用し、或いは他の場所で入浴に使用することができる。なお、温水溝１９、各滝形成容器３１、３２、３３等に収容したマイナスイオン生成材も当然取り出して天日干しや、取り換え等することができる。
【００３２】
このようにして、サウナ１の室内にマイナスイオン生成用床部６、温水溝１９、滝形成装置３０を設置し、更に出入口にドア（図示なし）を設置する等すると、サウナ１が完成する。使用時、床部加熱用温水管１２と滝用温水噴射管３８に低温例えば４０℃程の温水を供給する。すると、床部加熱用温水管１２から発生する熱が先ず下層床部９を構成するコンクリートに伝わり、更に中層床部８、上層床部７へと伝って、部屋内を暖めることができる。そして、上、中、下の３層床部７、８、９を構成するマイナスイオン生成材と部屋内の空気、水分が夫々加熱され、温度が高くなって行く。
【００３３】
それ故、マイナスイオン生成材と接触した空気、水分がマイナスイオン化され易くなり、多量のマイナスイオンが発生する。又、マイナスイオン生成材から多量の遠赤外線が発生する。そして、部屋内に上、中、下の３層床部７、８、９から多量の遠赤外線が放射され、更に上層床部７とその上層床部７に設けられた各貫通穴２３から中、下層床部８、９と、その貫通穴２３に充填されているマイナスイオン生成材から発生した多量のマイナスイオンと熱が放出され、空気の対流等によって充満する。
【００３４】
又、滝用温水噴射管３８の各噴射口から温水を上滝形成容器３１に充填した多数のマイナスイオン生成材に対して注ぐ。すると、その温水をマイナスイオン生成材に当て、通過させること等により加熱、加圧し、マイナスイオン化できる。そして、温水を容器３１の平底に設けた多数の落下穴３５から柱状に落下させて上滝を形成する。すると、多量の水蒸気を発生させる等して、温水に含まれるマイナスイオンを空気中に拡散して多量に含ませることができる。
【００３５】
次に、その上滝の落下を中滝形成容器３２で受け、その容器内に充填した多数のマイナスイオン生成材に対して注ぐ。すると、その温水を同様にして更にマイナスイオン化できる。そして、容器３２のＶ字状底中央に設けた直線状落下穴３６から平板状に落下させて中滝を形成する。すると、やはり多量の水蒸気を発生させる等して、温水に含まれるマイナスイオンを空気中に拡散して多量に含ませることができる。その際、送風機３９により中滝の面に対し直角方向から風を送ると、滝状に落下する温水が更に広がって分離するため、温水に含まれるマイナスイオンを一層空気中に拡散して多量に含ませることができる。
【００３６】
次に、中滝の落下を下滝形成容器３３で受け、その容器内に充填した多数のマイナスイオン生成材に対して注ぐ。すると、その温水を更にマイナスイオン化できる。この温水は容器３３の内側壁部に設けた放水管３７から温水溝１９に充填した多数のマイナスイオン生成材に対して注ぐ。すると、その温水を更にマイナスイオン化できる。そして、温水溝１９の上開口から多量の水蒸気を発生させる等して、温水に含まれるマイナスイオンを空気中に拡散して多量に含ませることができる。
【００３７】
しかも、上、中、下の各滝形成容器３１、３２、３３と温水槽１９に充填されているマイナスイオン生成材から多量の遠赤外線が放射される。なお、滝形成用装置を構成する滝形成容器の構造、数等は天井面の高さに応じる等して適宜変更できる。
【００３８】
又、部屋の周囲側壁部４、天井壁部５を、高断熱性能を有するマイナスイオン生成材を含むコンクリートにすることにより、広く体積の大きな壁部４、５に多量のマイナスイオン生成材が含まれる。それ故、部屋を暖めてマイナスイオン生成材を加熱すると、その多量のマイナスイオン生成材により空気、水分をマイナスイオン化し、多量のマイナスイオンを空気中に拡散して含ませることができる。又、多量の遠赤外線を放射できる。しかも、上、下層床部７、９と周囲の側壁部４、天井壁部５に黒曜石加工パーライトを含むコンクリートを用いると、周囲６面の保温率、熱輻射率を高め断熱性を大きくして、部屋の断熱効果を大きくできるので、省エネルギーに適する。
【００３９】
このようなサウナ１の部屋内には多量のマイナスイオンが満ち、多量の遠赤外線が放射されている上、温度が４０℃程の低温に保たれ、湿度もあまり高くなく６０％程なので、入浴者が長時間居ても快適に過ごせる。そして、自分の好きな音楽を聞き、滝を見る等すると一層リラックスできる。入浴者がベッド２６に横たわると、身体が床面全体にほぼ均等に分散配設されて突出している多数のマイナスイオン生成材からなる身体支持用部材２７で支えられる。
【００４０】
すると、横たわった人が床面に密接触せず、各身体支持用部材７で支えられる背側の当接箇所が夫々温熱指圧され、床面との間に少し空間ができる。そして、その下側空間内に周囲からマイナスイオンが侵入し、横たわった人の背側にもほぼ均等に多量のマイナスイオンが触れる。それ故、横たわった人の背側に多数の身体支持用部材２７による温熱指圧効果が作用し、全身で多量のマイナスイオンと多量の遠赤外線を受けて、健康、美容効果を享受できる。
【００４１】
なお、上記の実施形態では１人用マイナスイオンサウナについて説明したが、マイナスイオン生成用床部の面積を大きくすると、当然ベッドを縦、横等に複数並べて設け、複数人用マイナスイオンサウナにすることができる。
【図面の簡単な説明】
【００４２】
【図１】本発明を適用した１人用マイナスイオンサウナの縦断面図である。
【図２】同１人用マイナスイオンサウナの要部を示す縦断面図である。
【図３】同１人用マイナスイオンサウナの床部加熱用温水管の配置状態を示す横断平面図である。
【図４】同１人用マイナスイオンサウナのマイナスイオン生成用床部の上層床部を構成するコンクリートブロックの平面図である。
【図５】同コンクリートブロックの上面に設置する身体支持用球状体の平面図である。
【符号の説明】
【００４３】
１…マイナスイオンサウナ  ２…室内空間  ３…床部  ４、５…壁部  ６…マイナスイオン生成用床部  ７、８、９…上、中、下の各層床部  １０…コンクリート基礎  １０ａ…滝形成箇所  １１…断熱層  １２…加熱用温水管  １６…止め具  １９…温水溝  ２０…温水溝設置箇所  ２２…排水管  ２３…貫通穴  ２６…ベッド  ２７…身体支持用部材  ３０…滝形成装置  ３１、３２、３３…上、中、下の各滝形成容器  ３４…台部  ３５、３６…温水落下穴  ３７、４２…温水放水管  ３８…滝用温水噴射管  ３９…送風機  ４１…噴射口  ４３…温水槽
【図１】
2006102298.tif 000004
【図２】
2006102298.tif 000005
【図３】
2006102298.tif 000006
【図４】
2006102298.tif 000007
【図５】
2006102298.tif 000008